(57)【要約】【課題】２次電池で動作する携帯機器の２次電池を乾電池で充電する乾電池ケースの小型薄型化を計り、携帯機器に常時つけて携行できるようにする事が第１の課題である。さらには、乾電池ケースを忘れた場合、乾電池駆動ができなくなる事を防ぐために、乾電池ケースを携行する必要をなくす事が第２の課題である。【解決手段】乾電池接続手段を回転してプレートに収納し、しかもプレートを複数に分割して重ね合わせる乾電池ホルダー構成にする事で小型薄型化を実現する。そして、その乾電池ホルダーに携帯ストラップを付けて携帯型電池駆動機器にぶら下げて携行しやすくする。さらには小型薄型化した乾電池ホルダーを携帯型電池駆動機器に内蔵する。【選択図】  図２
2007048593.tif 000002
【特許請求の範囲】
【請求項１】
プレートの両端に乾電池を保持する乾電池保持手段を設け、該乾電池保持手段に乾電池接続手段を設け、該乾電池接続手段に乾電池コネクターを付けた乾電池ホルダーのある電源装置において、該両端の該乾電池保持手段と該乾電池接続手段が可動で、該プレートにほぼ平行に折りたためる乾電池電源装置。
【請求項２】
該乾電池保持手段と該乾電池接続手段が一体、あるいは該乾電池接続手段が該乾電池保持手段を兼ねる請求項１の乾電池電源装置。
【請求項３】
該プレートに軸受けあるいは軸を設け、該乾電池接続手段の一部である軸あるいは軸受けを保持して、該軸が該軸受けの中を回転する事で、該乾電池接続手段が該プレートにほぼ垂直からほぼ平行になる角度を回転する請求項１の乾電池電源装置。
【請求項４】
該軸受けの表面を導電体で作り、該表面と該乾電池コネクターを接続し、同じく導電体である該軸受けと該表面を接触させ、また該乾電池保持手段で乾電池を保持し、該乾電池接続手段が該乾電池と接触して、該乾電池から該乾電池コネクターまでの電気的接続をとる請求項１の電池電源装置。
【請求項５】
該プレートに窪みを設け、該乾電池コネクターを収納する請求項１の電池電源装置。
【請求項６】
該プレートを複数のプレートに分割し、分割された該プレートを重ね合わせる手段を設け、複数の該プレートを重ね合わせる事で、該乾電池ホルダーを小さく折りたたむ請求項１の乾電池電源装置。
【請求項７】
２次電池で駆動する携帯機器にあって、該乾電池コネクターを該２次電池の電源ラインに直接接続する請求項１の電池電源装置。
【請求項８】
該プレートを該携帯機器の２次電池収納部の底面にした請求項１の電池電源装置。
【発明の詳細な説明】
【技術分野】
【０００１】
２次電池で駆動する携帯機器において、その２次電池が空になった非常時に、市販の円筒型乾電池でも駆動できるようにする技術に関する。
【背景技術】
【０００２】
従来の携帯電話では駆動力である２次電池が空になり、充電器を持ち合わせていない時には、市中どこでも手に入る円筒型の乾電池が利用できる乾電池ケースを、通信コネクターに接続して充電する方法が広く利用されている。
またカメラ付き携帯ビデオ録画機器では、取り外し可能な乾電池ケースを準備し、機器への取り付け部分や、乾電池ケースの端子を２次電池パックと同じ構造にして互換性を得ている。
一方、デジタルスチルカメラでは、乾電池をメインの駆動電源とし、２次電池はオプションとするコンセプトも有る。その場合は、電池収納部は乾電池が収納できるサイズに設計してあるので、小さくて性能の発揮できるオプションの２次電池は、乾電池収納部に余裕を持って収まる。
またポータブルＣＤプレーヤーやＭＤプレーヤーでは、基本は内蔵する２次電池駆動であるが、乾電池パックと機器との接続端子を２次電池とは別に設けて、乾電池パックは外付けで、取り外し可能にしている製品もある。
【発明の開示】
【発明が解決しようとする課題】
【０００３】
特に携帯電話での課題を主体にして説明する。携帯電話は、特に薄型化や軽量化が重要視されるので、その駆動電源には薄型の角型リチウムイオン電池である２次電池が採用されている。そしてそのリチウムイオン電池を収納する電池収納部は、２次電池とほぼ同じ大きさで、ほとんど隙間がないと言って良い。一般には２次電池を収納した後、蓋をする。従って蓋で覆われた電池収納部分の容積は極めて小さい。ところが旅先などで充電器を持参しない場合等に、２次電池の電池容量を使い切って空になると、その携帯電話は用をなさなくなってしまう。そのような時、容易に手に入る乾電池で駆動できれば便利だと誰もが考えるところである。
そこで乾電池ケースを準備し、乾電池ケースの電源コネクターを通信コネクターに差し込んで通信コネクターの電源ラインを通して、乾電池ケース内の乾電池から携帯電話内の２次電池を充電する非常用簡易充電器が市販されている。しかし常時携行するのは煩わしく、また携行するのを忘れやすい。
その他の２次電池を主電源とする携帯機器でも、その２次電池が空になった時に乾電池で駆動する場合、携帯機器とは別に乾電池ケースを携行する必要が有り、忘れてしまった時は、乾電池駆動ができない問題点がある。
従って、乾電池ケースを使用した非常用簡易充電器を小型化して携帯機器に付けて携行しやすくする事が第１の課題である。
さらには、小型化や薄型化を重視し、円筒型乾電池と形状も作動電圧も異なる２次電池を主たる駆動電源とする携帯機器において、電池収納部および携帯機器の小型化や薄型化を維持しながら、非常時には乾電池でも駆動できるようにする事、しかも、乾電池ケースを忘れた場合、乾電池駆動ができなくなる事を防ぐために、乾電池ケースを携行する必要をなくす事が第２の課題である。
【課題を解決するための手段】
【０００４】
本発明は、プレートの両端に乾電池を保持する乾電池保持手段を設け、乾電池保持手段には電池接続手段を設け、乾電池接続手段には携帯機器に接続する乾電池コネクターを付けた乾電池ホルダーであって、プレートの両端の乾電池保持手段と乾電池接続手段は移動してプレートにほぼ平行に折りたためる特徴がある。
また本発明は、乾電池保持手段と乾電池接続手段が一体、あるいは乾電池接続手段が乾電池保持手段を兼ねる特徴がある。
また本発明は、プレートに軸受けあるいは軸を設け、乾電池接続手段に付けた軸あるいは軸受けを保持して、軸が軸受けの中を回転する事で、乾電池接続手段がプレートにほぼ垂直からほぼ平行になる角度を回転する特徴がある。
また本発明は、プレートを分割し、分割された複数のプレートを重ね合わせる手段を設けた特徴がある。
また本発明は、軸受けの表面を導電体で作り、導電体と乾電池コネクターに接続したリード線を接続する特徴がある。すると導電体である乾電池接続手段と軸受けの表面が接触して電気的接続をとる事ができる。そして乾電池保持手段で乾電池を保持して乾電池接続手段で乾電池と電気的接続をとって、乾電池コネクターを携帯機器に接続した時、携帯機器が乾電池と電気的に接続する。
また本発明は、プレートに窪みを設け、乾電池コネクターとリード線をコンパクトに収納する特徴がある。
２次電池で駆動する電池駆動機器であって、乾電池コネクターを電池駆動機器の２次電池の電源ラインに直接接続した特徴がある。
電池駆動機器の２次電池収納部の底面を、乾電池ホルダーのプレートにする特徴がある。
【発明の効果】
【０００５】
本発明では、プレート両端の乾電池保持手段が移動してプレートにほぼ平行に折りたためるために、乾電池ホルダーを薄くできる効果がある。
また本発明は、乾電池保持手段と乾電池接続手段が一体、あるいは乾電池接続手段が乾電池保持手段を兼ねる事で、乾電池ホルダーをさらに薄くする効果と共にコストダウンできる効果がある。
プレートに軸受けあるいは軸を設け、乾電池接続手段に付けた軸あるいは軸受けを保持して、軸が軸受けの中を回転する。すると、乾電池接続手段がプレートにほぼ垂直からほぼ平行に移動する手段を薄い構造にできる効果がある。
軸受けの表面に導電体を貼る簡単な手法で、軸受けとコネクターの電気的接続が容易に実現できるので、コストダウンできる効果がある。
また、該プレートを分割部で分割し、分割された複数の該プレートを重ね合わせると、乾電池ホールド部を小型にできる効果がある。
プレートに窪みを設け、乾電池コネクターとリード線を収納する事で、乾電池ホルダーをコンパクトにできる効果がある。
２次電池で駆動する携帯機器にあって、２次電池を取り外して乾電池コネクターを２次電池接続コネクター端子に接続する事で、２次電池を充電するのではなく、携帯機器を直接乾電池で駆動できる効果がある。
携帯機器の２次電池収納部の底面を乾電池ホルダーのプレートにする事で、携帯機器の２次電池収納部を薄型、小型に保ったまま、携帯機器を乾電池でも駆動できる効果がある。
【発明を実施するための最良の形態】
【０００６】
乾電池接続手段を回転してプレートに収納し、しかもプレートを複数に分割して重ね合わせる乾電池ホルダー構成にする事で小型薄型化を実現する。
【実施例１】
【０００７】
本発明の実施例１を、図１の側面図を用いて詳細に説明する。プレート１の両端に乾電池保持手段２，３と乾電池接続手段４，５を付ける。乾電池保持手段２，３はプラスチックなどの絶縁物で作成し先端６，７が鍵状になっている。乾電池接続手段４，５は乾電池保持手段２，３に固定した導電性のばね材で作成し、乾電池保持手段２，３と共に、図２に示すごとくプレート１の先端８，９を基点にプレート１にほぼ直角になる位置からプレート１とほぼ平行になる位置まで動く事ができる。また乾電池接続手段４，５には２本のリード線１０，１１につながった乾電池コネクター１２を付けて全体で乾電池ホルダー１３を構成する。次にその使用方法を図２と図３の側面図を用いて説明する。乾電池ホルダー１３を使用しない時は、図２に示すごとく乾電池保持手段２，３と乾電池接続手段４，５はプレート１と平行に折畳んである。使用する時は、先ず図１に示すごとく乾電池保持手段２，３と乾電池接続手段４，５をプレート１と直角になるまで起こす。次に図３に示すごとく持ち上げた乾電池保持手段２，３と乾電池接続手段４，５の間に乾電池１４を挟み、乾電池接続手段４，５と接触して電気的に接続する。乾電池保持手段２，３は乾電池接続手段４，５が乾電池１３に押されて反り返るのを防ぐと共に、かぎ状の先端６，７は乾電池１４が上に抜け落ちるのを防ぐ作用をする。乾電池接続手段４，５とリード線１０，１１は電気的に接続しているので、乾電池コネクター１２を携帯機器１５の電源コネクター１６に挿入すれば、携帯機器１５を動作させたり、携帯機器１５に内蔵する２次電池１７を充電する事ができるようになる。
【実施例２】
【０００８】
次に実施例２を説明する。図３に示したプラスチック製の乾電池保持手段２，３を省略する。乾電池接続手段４，５の弾性力を上げる事で、乾電池接続手段４，５が乾電池保持手段２，３を兼ねるようになり、電気的接続と共に乾電池１４をしっかりと保持する事ができる。
【実施例３】
【０００９】
次に実施例３を図４の平面図を用いて説明する。プレート１に軸受け１８，１９，２０，２１を設ける。また乾電池接続手段としてばね板２２，２３と軸２４，２５からなるばね電極を乾電池接続手段４，５とし、軸２４，２５を軸受け１８，１９，２０，２１に挿入する。またプレート１にはストッパー２６，２７を付ける。すると軸２４，２５が軸受け１８，１９，２０，２１の中で回転して、軸２４，２５に繋がったばね板２２，２３はプレート１に平行な位置からプレート１に垂直になる位置まで回転移動する。垂直になった後はストッパー２６，２７で回転を止めるので、実施例２の図３に示すごとく、乾電池１４を保持し電気的接続をとる事ができる。但し図４では乾電池接続手段４，５が乾電池保持手段２，３を兼ねている。また図には示していないが、軸２３，２４が中空になっていて、軸受け１８，１９，２０，２１が棒であっても、軸２３，２４は軸受け１８，１９，２０，２１を中心にして回転する事ができる。
【実施例４】
【００１０】
次に実施例４を図４を用いて説明する。プレート１と軸２４，２５の間に、導電体として粘着剤の付いた銅箔２８，２９を貼る。銅箔２８，２９にははんだ等でリード線１０，１１を容易に接続できる。銅箔２８，２９と軸２４，２５が接触して電気的に接続するので、乾電池１３から乾電池コネクター１２に電流を流せるようになる。また銅箔２８，２９は市販品で安く容易に手に入るので、乾電池接続手段４，５から乾電池コネクター１２への電気的接続のコストダウンを図る事ができる。
【実施例５】
【００１１】
次に図５に平面図で示す実施例５は、携帯電話の通信コネクターから２次電池を充電する乾電池電源装置としての乾電池ホルダー３０である。先ずプレートを第１プレート３１と第２プレート３２に分割する。但し、第１プレート３１と第２プレート３２は回転可能な接続具３３で結合する。たとえば図６の正面図で示すように湾曲した接続具３３を柔軟な材料で作成する。第１プレート３１には乾電池接続手段であるばね電極３４，３５，３６，３７を設け、第２プレート３２には３８，４９，４０，４１を設ける。ばね電極３６とばね電極３７を電気的に接続し、ばね電極４０とばね電極４１を電気的に接続する。電気的接続方法は、ばね電極３６とばね電極３７をばね性のある１本の金属線で作成し、ばね電極４０とばね電極４１をばね性のある別の１本の金属線で作成しても良い。あるいは、実施例４で採用したように、ばね電極３６とばね電極３７の軸下に銅箔４２を貼り、ばね電極３６とばね電極３７を同じ銅箔４２に接触させる。ばね電極４０とばね電極４１においても銅箔４３を貼って同様な手段をとる事ができる。そしてばね電極３５とばね電極３８を電線４４で電気的に接続する。次に第１プレート３１と第２プレート３２の中央に通信コネクター４５とリード線４６，４７が収まる窪み４８を設ける。リード線４６はばね電極３４にはんだで接続し、リード線４７はばね電極３９にはんだで接続する。そしてリード線４６とリード線４７の他端は乾電池コネクター４５に接続する。その使用方法を図６の正面図と図７の平面図と図８の正面図を用いて説明する。先ず、図６に示すように第１第プレート３１と第２プレート３２を開いて、ばね電極３４，３５，３６，３７，３８，３９，４０，４１を第１プレート３１と第２プレート３２に垂直に起こす。次に図７に示すように４本の乾電池４９．５０．５１，５２をばね電極３４，３５，３６，３７，３８，３９，４０，４１間に挿入すると、４本の乾電池４９．５０．５１，５２は電気的に直列に接続して、４Ｖから６．５Ｖの電圧を出力できる。そして乾電池コネクター４５を携帯電話５３の通信コネクター５４に挿入する。乾電池コネクター４５と通信コネクター５４には２次電池５５を充電する充電端子も内臓している。すると乾電池ホルダー３０は簡易充電器として携帯電話５３の２次電池５５を充電できる乾電池電源装置の機能を果たす。その作用は従来から市販されている乾電池ケースを使用した簡易充電器と同じである。しかし従来の乾電池ケースとの違いは、使用しない時に発揮される。すなわち、乾電池４９．５０．５１，５２を外してばね電極３４，３５，３６，３７を回転して第１プレート３１に平行にし、ばね電極３８，３９，４０，４１を第２プレート３２に平行にする。次に乾電池コネクター４５とリード線４６，４７を窪み４８に納め、さらに図８に示すごとく接続具３３を曲げて第１プレート３１と第２プレート３２を重ねると乾電池ホルダー３０を極めて薄く小型にする事ができる。以上のように、複数の乾電池を直列接続して使用する従来の乾電池ケースの厚みが厚く、しかも広い面積を必要とするのに対して、本実施例はばね電極３４，３５，３６，３７，３８，３９，４０，４１を回転してプレート３１，３２に収納し、しかもプレートを複数に分割して重ね合わせる事で始めて小型薄型化を実現した。そして図９に示すように、乾電池ホルダー３０に携帯ストラップ５６を付けて携帯電話５３にぶら下げると、常時携帯電話５３に付けていてもまったく邪魔にならない上、アクセサリーとしての価値を付加する事が可能になる。非常時など必要な時に、従来の乾電池ケースを持っていなかったという失敗をなくす目的が達成できる。
【実施例６】
【００１２】
次に実施例６を図１０の平面図と図１１の平面図を用いて説明する。プレートを縦方向に分割したプレート５７とプレート５８を接続具５９で接続する。プレート５７には３個のばね電極６０，６１，６２を付けプレート５８には３個のばね電極６３，６４，６５を付ける。ばね電極６１とばね電極６２を電気的に接続し、ばね電極６３とばね電極６４を電気的に接続する。リード線６６は銅箔６８にはんだ付けしてばね電極６０に電気的に接続し、リード線６７は銅箔６９にはんだ付けしてばね電極６５に電気的に接続する。但し、乾電池コネクター７０は実施例６の通信コネクターではなく、携帯電話５３の２次電池接続端子７１に勘合するコネクターである。そして携帯電話５３から電流が流れて乾電池を充電しないように、整流ダイオード７２を接続する。そこで、ばね電極間６０，６１，６２，６３，６４，６５に３本の乾電池を挿入すると、３本の乾電池は直列接続して３Ｖから４．８Ｖの電圧を供給できるようになる。そして、乾電池コネクター７０を２次電池接続端子７１に挿入すると、おおよそ３Ｖから５Ｖの電圧で作動する携帯電話５３を直接動作させる事ができる。２次電池５５を外して、乾電池ホルダー７３を２次電池収納部７４に挿入して固定すると、乾電池ホルダー７３が携帯電話５３にブラブラぶら下がらないので、違和感なく携帯電話５３の操作を行う事ができる。ところで、２次電池接続端子７１はばね端子７５，７６でも良く。その場合は、乾電池ホルダー７３のリード線６６，６７はプレート５７，５８内部に配線してばね端子７５，７６と同じ位置に設けた乾電池端子７７，７８に接続する。すると乾電池ホルダー７３を２次電池収納部７４に挿入すると、ばね端子７５と乾電池端子７７が接触し、ばね端子７６と乾電池端子７８が接触して、乾電池ホルダー７３に挿入した３本の乾電池から携帯電話５３に直接電力を供給できる。また本実施例でも、乾電池ホルダー７３を使用しない場合は、実施例６と同様にプレート５７とプレート５８を重ね合わせて小型化できるので、携帯電話５３のアクセサリーとして常時携帯できる。
【実施例７】
【００１３】
図１２の平面図に示す実施例７は、携帯電話７９の２次電池８３の収納部８０の底面を乾電池ホルダー８１のプレート８２にした例である。プレート８２には、ばね電極８４，８５，８６，８７，８８，８９を実施例７と同様に設ける。そして、ばね電極８４，８９は携帯電話内部に配線したリード線９０，９１で携帯電話７９のメインスイッチ９２に電気的に接続し、リード線９１には整流ダイオード９３を直列に接続する。従来通り携帯電話７９を２次電池８３で駆動する時は、ばね電極８４，８５，８６，８７，８８，８９をプレート８２に平行に折りたたみ、その上に２次電池８３を置き、電池カバー９４を被せる。従来の携帯電話より１ｍｍから２ｍｍ程度厚みが増すだけで、従来通り使用する事ができる。そして、２次電池８３が空になって、充電器を持ち合わせていない非常時には、ばね電極８４，８５，８６，８７，８８，８９をプレート８２に垂直に起こして３本の乾電池を直列に挿入し、メインスイッチ９２をオンすると携帯電話７９は乾電池で駆動するようになる。
【産業上の利用可能性】
【００１４】
特に携帯電話では小型、薄型が重視されている。そのために、駆動する電池も単セルの作動電圧が高く、薄い形状の角型リチウムイオン電池が使用されている。リチウムイオン電池は充放電できる２次電池であるが、旅行など長期に充電できない場合は、電池容量が空になって使用できなくなる。また、最近では携帯電話には様々な機能が追加されて消費電力が増加しているので、内蔵の２次電池が空になる確率も増加している。そこで非常の場合、乾電池で動作できれば急場をしのぐ事ができる。そのためには、乾電池ホルダーを常に携行できる必要がある。さらには乾電池を保持し、複数の乾電池を接続して組電池にし、その組電池を携帯電話に接続する機能を携帯電話に収納して、いつでも使用できるようにできればもっと良い。しかもその機能を有しながら、小型にしてアクセサリー感覚で常時携行できる本発明の乾電池ホルダーは、携帯電話の付属品として広く利用できる。またこの乾電池ホルダーを携帯電話に内蔵すると、携帯電話の小型で薄型形状を維持できるので、その利便性はさらに増加する。
さて、実施例では主に携帯電話を例にしてきたが、この機能は携帯電話に限るものではない。デジタルスチルカメラやカメラ付きビデオ録画機やノートパソコンなど、小型で薄型を採用する２次電池で動く携帯機器に共通して必要とされるので産業上の利用範囲は極めて広い技術である。
【図面の簡単な説明】
【００１５】
【図１】は実施例１の側面図
【図２】は実施例１の側面図
【図３】は実施例１，２の側面図
【図４】は実施例３，４の平面図
【図５】は実施例５の平面図
【図６】は実施例５の正面図
【図７】は実施例５の平面図
【図８】は実施例５の正面図
【図９】は実施例５の平面図
【図１０】は実施例６の平面図
【図１１】は実施例６の平面図
【図１２】は実施例７の平面図
【符号の説明】
【００１６】
１はプレート
４，５は乾電池接続手段
12は乾電池コネクター
13は乾電池ホルダー
33は接続具
34はばね電極
93は整流ダイオード
【図１】
2007048593.tif 000003
【図２】
2007048593.tif 000004
【図３】
2007048593.tif 000005
【図４】
2007048593.tif 000006
【図５】
2007048593.tif 000007
【図６】
2007048593.tif 000008
【図７】
2007048593.tif 000009
【図８】
2007048593.tif 000010
【図９】
2007048593.tif 000011
【図１０】
2007048593.tif 000012
【図１１】
2007048593.tif 000013
【図１２】
2007048593.tif 000014